(57)【特許請求の範囲】
【請求項１】
天板と、この天板の左右両端を支持する脚体とから成る机において、
前記脚体は、金属板製中空状の脚柱と、この脚柱の後端面に沿って立設する金属板製の断面矩形中空状の補助脚柱とを備え、
前記脚柱の断面が前後に長い略三角形であって、その外側面板を前記天板の外側面と平行の平面にし、脚柱の内側面板を後方に向かって前記外側面板から離れるように内向きに傾斜し、且つ前記外側面板に対して膨らんで湾曲された湾曲傾斜面に形成し、前記内側面板の後部が前記補助脚柱における内側面板と同一面となるように形成されていることを特徴とする机の構造。
【発明の詳細な説明】
【０００１】
【発明の属する技術分野】
本発明は、筆記又はコンピュータ操作等のような各種のデスクワークを行う事務等に使用される机の構造に関するものである。
【０００２】
【従来の技術と発明が解決しようとする課題】
一般に、この種の机においては、その天板を支持する脚体を、金属板にて机の前後方向に長い矩形の中空断面に構成しているが、従来は、前記脚体における机の左右方向に対する剛性を確保することのために、この脚体における机の左右方向の幅寸法を大きくしている。
【０００３】
しかし、このように、脚体における断面を、机の前後方向に長い矩形にした上で、左右方向の幅寸法を大きくすることは、机の前に座る人の足元が狭くなって、膝が脚体に触れるおそれが大きくなるという問題がある。
【０００４】
しかも、脚体の製造に際しての金属板の使用量が多くなり、重量のアップ及び価格のアップを招来するという問題もあった。
【０００５】
本発明は、これらの問題を解消することを技術的課題とするものである。
【０００６】
【課題を解決するための手段】
この技術的課題を達成するため本発明は、天板と、この天板の左右両端を支持する脚体とから成る机において、前記脚体は、金属板製中空状の脚柱と、この脚柱の後端面に沿って立設する金属板製の断面矩形中空状の補助脚柱とを備え、前記脚柱の断面が前後に長い略三角形であって、その外側面板を前記天板の外側面と平行の平面にし、脚柱の内側面板を後方に向かって前記外側面板から離れるように内向きに傾斜し、且つ前記外側面板に対して膨らんで湾曲された湾曲傾斜面に形成し、前記内側面板の後部が前記補助脚柱における内側面板と同一面となるように形成されているものである。
【０００７】
【発明の作用・効果】
このように、脚体は、金属板製中空状の脚柱と、この脚柱の後端面に沿って立設する金属板製の断面矩形中空状の補助脚柱とを備えたものであって、前記脚柱の断面が前後に長い略三角形であって、その外側面板を前記天板の外側面と平行の平面にし、脚柱の内側面板を後方に向かって前記外側面板から離れるように内向きに傾斜し、且つ前記外側面板に対して膨らんで湾曲された湾曲傾斜面に形成し、前記内側面板の後部が前記補助脚柱における内側面板と同一面となるように形成されていることにより、脚体における後部における幅寸法を大きくして、机の左右方向に対して十分な剛性を確保した状態のもとで、机の前に座る人の足元を広くことができるのである。
【０００８】
しかも、脚柱の断面を、前記したように、その外側面板を前記天板の外側面と平行の平面にし、その内側面板を後方に向かって前記外側面板から離れるように内向きに傾斜する傾斜面するように天板の前後方向に長い略三角形に形成したことにより、机を横に二つに並べた場合に、両机における脚体は、その平面状に外側面板同士が互いに平行のまま互いに接近するようになって、恰も、一つの太い脚体であるかに見えることになるから、机の脚体に重厚で安定な感じを付与することができるのである。
【０００９】
特に、前記脚柱における内側面板を、外側面板に対して膨らんだ形状に湾曲する湾曲傾斜面に形成することにより、前記の効果をより助長できるのである。
【００１０】
【発明の実施の形態】
以下、本発明の実施の形態を、図１〜図１１の図面について説明する。
【００１１】
この図において、符号１は、天板を、符号２は、前記天板１の左右両端を支持する脚体を、符号４は、前記両脚体２の相互間を互いに連結する横長のステー部材を、符号５は、前記天板の後面に沿って延びるように配設する配線受け樋を各々示す。
【００１２】
前記両脚体２は、床面上を机に対して前後方向に延びる下アーム部材６と、この下アーム部材６の上面から立設する金属板製中空状の脚柱７と、同じく前記下アーム部材６の上面から前記脚柱７の後面に沿って立設する金属板製中空状の補助脚柱８とによって構成されている。
【００１３】
この場合において、前記補助脚柱８の断面形状は、一辺がＴの略正方形であるが、前記脚柱７の断面形状は、図４に示すように、その外側面板７ａを机の前後方向に略真っ直ぐで、天板１の外側面１ａに対して平行な平面に、その内側面板７ｂを後方に向かって前記外側面板７ａから離れるように内向きに傾斜し、且つ、外側面板７ａに対して膨らんだ形状に湾曲する湾曲傾斜面にするというように一つの湾曲辺と二つの直線辺とを有する略三角形に形成されている。
【００１４】
また、これら各脚柱７，８は、前記下アーム部材６の上面に対してボルト９，１０の締結にて着脱自在に連結されている。
【００１５】
次に、符号１１は、前記両脚体２の上端の各々配設した連結体を示し、この連結体１１は、平面視において略矩形に形成され、その一つの角部における下面には、前記補助脚柱８の上端内部に嵌まった状態で、補助脚柱８に対してボルト１３の締結にて着脱自在に取付けられる補助脚取付け部１２が一体的に設けられている。
【００１６】
また、前記連結体１１の各側面のうち前記補助脚取付け部１２を有する一つの角部を挟んで互いに直角をなす二つの側面には、前記脚柱７の上端内部に嵌まった状態で、脚柱７に対してボルト１５の締結にて着脱自在に取付けられる脚取付け部１４が一体的に設けられ、この両脚取付け部１４のうち一方の脚取付け部１４を、前記脚柱７の上端内部に嵌めるようにして取付ける一方、他方の脚取付け部１４に、前記配線受け樋５を一端部を、ボルト１５′の締結にて着脱自在に連結する。
【００１７】
更にまた、前記連結体１１の各側面のうち前記補助脚取付け部１２を有する一つの角部と対角をなす他の一つの角部に隣接して互いに直角をなす二つの側面には、前記横長のステー部材４の取付け部であるところの棒片１６を横向きに一体的に突出して、これに前記ステー部材４の一端を被嵌したのちボルト１７を締結することにより、ステー部材４を着脱自在に連結する。
【００１８】
前記両連結体１１の上面には、机の前後方向に延びる天板支持板１８を配設して、この天板支持板１８を、前記連結体１１に着脱自在に取付けて、この両天板支持板１８の上面に、前記天板１を載せるように構成する。
【００１９】
前記天板支持板１８には、天板１の下面に沿って前方に延びる上アーム部材１９を固着することにより、この上アーム部材１９によっても天板１を支持するように構成され、更に、前記天板１の下面に、前記ステー部材４の上面のうち複数箇所に設けた各受け片２０を前記天板１の下面に接当することにより、ステー部材４によっても天板１を支持するように構成する。
【００２０】
前記天板１における左右両外側面１ａのうち前記脚柱７及び補助脚柱８に該当する部分には、これらを露出するようにした切り込み部１ｂを設けて、この切り込み部１ｂには、当該切り込み部１ｂ内のうち前記脚柱７の上端における連結体１１及び天板支持板１８を覆い隠すようにしたカバー体２１と、前記補助脚柱８の上端における連結体１１を覆い隠すようにした補助カバー体２２とを着脱自在に装着する。
【００２１】
前記したように、天板１を支持する両脚体２の断面を、その外側面板７ａを前記天板１の外側面１ａと平行の平面にし、その内側面板７ｂを後方に向かって前記外側面板７ａから離れるように内向きに傾斜する傾斜面にするように前後方向に長い略三角形に形成したことにより、脚体における後部における幅寸法Ｔを大きくして、机の左右方向に対して十分な剛性を確保した状態のもとで、机の前に座る人の足元を広くことができる。
【００２２】
しかも、前記両脚体２の断面を、その外側面板７ａを前記天板１の外側面１ａと平行の平面にし、その内側面板７ｂを後方に向かって前記外側面板７ａから離れるように内向きに傾斜する傾斜面にするように前後方向に長い略三角形に形成したことにより、図１に二点鎖線で示すように、前記構成の机の横に、同じ構成の机を並べた場合に、両机における脚体２，２は、図４に二点鎖線で示すように、その平面状にの側面板７ａの同士が互いに平行のまま互いに接近するようになって、恰も、一つの太い脚体であるかに見えることになるから、机に重厚で安定な感じを付与できる。
【００２３】
また、前記両脚体における内側面板を、外側面板に対して膨らんだ形状に湾曲する湾曲傾斜面に形成することにより、脚体２における剛性を向上できると共に、より重厚で安定な感じを付与できる。
【００２４】
なお、天板１の下面に、図９に二点鎖線で示すように、後幕板２３を設ける場合には、この後幕板２３を、前記ステー部材４に対して取付け具２４にて着脱自在に取付けるように構成すれば良く、また、図１１に二点鎖線で示すように、前記天板１の後面に、後方の間仕切りと後幕板とを兼ねた衝立板２５を設ける場合には、この衝立板２５を前記ステー部材４に対して取付け具２６にて着脱自在に取付けるように構成すれば良いのであり、更にまた、図示していないが、前記ステー部材４に対して別の配線受け樋を取付けたり、或いは、受け皿等を取付けるようにすることができる。
【図面の簡単な説明】
【図１】  本発明の実施の形態による事務用机を示す正面図である。
【図２】  図１の平面図である。
【図３】  図１の左側面図である。
【図４】  図３のIV−IV視拡大断面図である。
【図５】  図１において天板を除いた状態を示す平面図である。
【図６】  図５のVI−VI視拡大断面図である。
【図７】  図６のVII −VII 視断面図である。
【図８】  図７のVIII−VIII視断面図である。
【図９】  図５のIX−IX視拡大断面図である。
【図１０】  要部の分解斜視図である。
【図１１】  机の天板に衝立板を取付けた状態を示す図である。
【符号の説明】
１              天板
１ａ            天板の外側面
１ｂ            切り込み部
２              脚体
４              横長のステー部材
５              配線受け樋
７              脚柱
７ａ            外側面板
７ｂ            内側面板
８              補助脚柱
１１            連結体
１４            脚取付け部
１６            ステー部材に対する取付け部
１８            天板支持板
【図１】
0003766583.tif 000002
【図２】
0003766583.tif 000003
【図３】
0003766583.tif 000004
【図４】
0003766583.tif 000005
【図５】
0003766583.tif 000006
【図６】
0003766583.tif 000007
【図７】
0003766583.tif 000008
【図８】
0003766583.tif 000009
【図９】
0003766583.tif 000010
【図１０】
0003766583.tif 000011
【図１１】
0003766583.tif 000012